(57)【要約】【課題】  記録媒体の読取り異常等の発生時、遊技客が該記録媒体を用いた処理のための操作ミスに気付かずに記録媒体を持ち去ってしまうことを防止する。【解決手段】  挿入された会員カード７０がカードリーダ２２で正常に読取ることができなったことが読取り異常チェック部２８１で判定された場合、及びカードリーダ２２で読取られたデータが異常であることが読取りデータチェック部２８２で判定された場合、カード不適正時制御部２８３は、挿入中の会員カード７０を保留したまま、不適正なカードである旨と返却ボタン２４５を表示／操作部２４の表示パネルに表示し、その後、返却ボタン２４５の押下による返却指示を待って会員カード７０を返却する制御を行う。【選択図】  図５
2005253587.tif 000002
【特許請求の範囲】
【請求項１】
記録媒体を受け入れ、該記録媒体に記録された情報を記録媒体読取手段により読取って該情報に基づく処理を行う記録媒体処理装置において、
受け入れた記録媒体が前記処理の行える適正な記録媒体であるか否かを判定する判定手段と、
前記判定手段により、前記記録媒体が適正な記録媒体でないと判定された場合、前記記録媒体を取込んだまま保留し、記録媒体が適正でない旨を表示手段に表示すると共に、返却指示に応じて前記記録媒体を返却する制御を行う制御手段と
を具備することを特徴とする記録媒体処理装置。
【請求項２】
前記制御手段は、
前記判定手段により、前記記録媒体が適正な記録媒体でないと判定された場合、前記返却指示を入力する返却ボタンを前記表示手段に併せ表示する
ことを特徴とする請求項１記載の記録媒体処理装置。
【請求項３】
前記判定手段は、
前記記録媒体読取手段により前記情報が正常に読取られたか否かを判定する読取異常判定手段と、
前記記録媒体読取手段により読取られた情報が適正であるか否かを判定する情報異常判定手段と
を有し、
前記読取異常判定手段により、前記情報が正常に読取られなかったと判定された場合、及び前記情報異常判定手段により、前記読取られた情報が適正でないと判定された場合、前記記録媒体が適正な記録媒体でないと判定する
ことを特徴とする請求項１記載の記録媒体処理装置。
【請求項４】
記録媒体を受け入れ、該記録媒体に記録された情報を記録媒体読取手段により読取って該情報に基づく処理を行う記録媒体処理装置において、
前記記録媒体読取手段により前記情報が正常に読取られたか否かを判定する読取異常判定手段と、
前記読取異常判定手段により、前記情報が正常に読取られなかったと判定された場合、前記記録媒体を取込んだまま保留し、前記情報が正常に読取られなかった旨を表示手段に表示すると共に、返却指示に応じて前記記録媒体を返却する制御を行う制御手段と
を具備することを特徴とする記録媒体処理装置。
【請求項５】
前記制御手段は、
前記読取異常判定手段により、前記情報が正常に読取れなかったと判定された場合、前記返却指示を入力する返却ボタンを前記表示手段に併せ表示する
ことを特徴とする請求項４記載の記録媒体処理装置。
【請求項６】
前記記録媒体読取手段により読取られた情報が適正であるか否かを判定する情報異常判定手段
を更に具備し、
前記制御手段は、
前記情報異常判定手段により、前記読取られた情報が適正でないと判定された場合、前記記録媒体を取込んだまま保留し、記録媒体受け入れ異常を報知する制御を行う
ことを特徴とする請求項４記載の記録媒体処理装置。
【請求項７】
前記記録媒体読取手段により読取られた情報が適正であるか否かを判定する情報異常判定手段と、
前記情報異常判定手段により前記読取られた情報が適正でないと判定された場合、該不適正情報が第１または第２の異常種別のいずれに該当するかを判定する異常種別判定手段と
を更に具備し、
前記制御手段は、
前記異常種別判定手段により、前記不適正情報が前記第１の異常種別に該当すると判定された場合、前記記録媒体を取込んだまま保留し、記録媒体受け入れ異常を報知する制御を行うと共に、
前記異常種別判定手段により、前記不適正情報が前記第２の異常種別に該当すると判定された場合、前記記録媒体を返却する制御を行う
ことを特徴とする請求項４記載の記録媒体処理装置。
【請求項８】
前記異常種別判定手段は、
前記不適正情報が、偽造が疑われる記録媒体に対応する情報である場合に、前記第１の異常種別に該当すると判定し、
前記不適正情報が、前記処理に用いる記録媒体以外の記録媒体に対応する情報である場合に、前記第２の異常種別に該当すると判定する
ことを特徴とする請求項７記載の記録媒体処理装置。
【請求項９】
前記記録媒体読取手段による前記情報の読取り異常、前記記録媒体読取手段により読取られた情報の異常及び異常種別の各々に対応して、記録媒体の保留、返却、記録媒体受け入れ異常報知に関する制御パターンを設定する設定手段
を具備し、
前記制御手段は、
前記読取異常判定手段、前記情報異常判定手段及び前記異常種別判定手段の各判定結果に基づき、前記設定手段により設定されている当該各判定結果に対応した制御パターンに従って記録媒体の保留、返却、記録媒体受け入れ異常報知に関する前記制御を行う
ことを特徴とする請求項３，４，６，７のいずれか記載の記録媒体処理装置。
【請求項１０】
前記記録媒体読取手段による前記情報の読取り異常、前記記録媒体読取手段により読取られた情報の異常及び異常種別の各々に対応して、記録媒体の保留、返却、記録媒体受け入れ異常報知に関する制御パターンを設定する設定手段を有する上位管理装置から前記設定手段により設定された制御パターンを取得する取得手段
を具備し、
前記制御手段は、
前記読取異常判定手段、前記情報異常判定手段及び前記異常種別判定手段の各判定結果に基づき、前記取得手段により取得されている当該各判定結果に対応した制御パターンに従って記録媒体の保留、返却、記録媒体受け入れ異常報知に関する前記制御を行う
ことを特徴とする請求項３，４，６，７のいずれか記載の記録媒体処理装置。
【発明の詳細な説明】
【技術分野】
【０００１】
本発明は、記録媒体を受け入れて、読取った情報に基づいて所定の処理を行う記録媒体処理装置に係わり、詳しくは、記録媒体の読取り異常や読取った情報の異常によって当該記録媒体に基づく上記所定が正常に実行されないまま当該記録媒体が持ち去られることを防止可能な記録媒体処理装置に関する。
【背景技術】
【０００２】
パチンコ台やスロットマシン（パチスロ）などの遊技機が配置された遊技ホールにおいて、昨今は、プリペイドカードあるいは会員カードなどの各種カードが使用されることが多く、これに対応して、上記カードに記録された情報を読取って該情報に基づく処理を行うカード処理装置も遊技ホール内各所に設置されている。
【０００３】
この種のカード処理装置として、例えば、会員カード端末機や、高額紙幣対応の台間メダル貸出機等が知られている。
【０００４】
会員カード端末機は、玉計数機に接続され、挿入される会員カードからカードＩＤ（会員コード）を読取る一方、玉計数機から玉計数値を取得し、カードＩＤと玉計数値を上位管理装置であるターミナル・コントローラ（以下、Ｔ／Ｃ）に送信して、該Ｔ／Ｃに、当該カードＩＤに対応して当該玉計数値を貯玉としてデータベースに登録する貯玉処理を実行させる（詳しくは、下記特許文献１を参照）。
【０００５】
また、高額紙幣対応タイプのメダル貸出機は、貨幣の受け付け後に全額分のメダル貸出しが行われずに残額が発生した場合、会員カード等のカードを挿入すると、該挿入カードから読取ったカードＩＤと残額情報をＴ／Ｃに送信し、該Ｔ／Ｃに、当該カードＩＤに対応付けて当該残額情報をデータベースに登録する処理（価値付け処理）を実行させる。
【０００６】
価値付け処理後のカードは、カード精算機に挿入することにより、当該カードのカードＩＤに価値付けされた残額分を精算（現金化）することができる（詳しくは、下記特許文献２を参照）。
【０００７】
また、カードＩＤの読み取り処理に関する一例が下記特許文献３に記載されている。具体的には、受け入れたプリペイドカードや会員カードから読取ったカードＩＤをＴ／Ｃに送信する一方、Ｔ／Ｃから、該当するテーブルによって当該カードＩＤに対応して管理される残度数の通知を受けると、残度数分の貨幣（現金）の払出しを行うカード精算機が開示されている（図１１参照）。
【特許文献１】特開平１１−２０７０１９号公報
【特許文献２】特願２００３−１１０３８１号
【特許文献３】特開２００２−２８２５２２号公報
【発明の開示】
【発明が解決しようとする課題】
【０００８】
ところで、上述した会員カード端末機やメダル貸出機等の従来のカード処理装置では、挿入カードの磁気が弱っている等により該挿入カードを正常に読取れなかった場合、例えば、特許文献１に記載のカード精算機のように、表示部にカード読取り不可のガイダンスを表示すると共に、即座に挿入カードを返却する（特許文献１の図１１：Ｓ１０１ＮＯ→Ｓ１２０→Ｓ１２１参照）のが一般的であった。
【０００９】
しかしながら、カードの読取り異常が発生した時に即座にカードを返却すると、遊技客は、当該カードに記録された情報に基づく処理（会員カード端末機における貯玉処理や、メダル貸出機における価値付け処理）が操作ミスに陥っているにもかかわらず正常終了したものと思い込んでしまい、返却されたカードを抜き取って貯玉引落としや精算等、次のサービスを利用するために移動してしまうことが多い。
【００１０】
ここで、カードの返却に合わせて「読取り不良です。」等の表示は当然行われるが、この表示に気付かない遊技客が後を絶たず、このため、従来は、返却されたカードを操作ミスに気付かないまま持ち去ってしまい、貯玉引き落とし時や精算時に、貯玉や価値付けが行われないことに気付いて遊技ホール側とトラブルになるケースが多発するという問題点があった。
【００１１】
また、カードを正常に読取れなかった場合、必ずカードを取り込んだまま停止させるという方法もあるが、この方法では、遊技客が気分を害するうえ、呼び出された店員がカード処理機の内部スイッチを操作する等の処理によって対応しなければならず、店員の作業が増えるという問題点があった。
【００１２】
また、従来は、「磁気が読めない」等、カードの読取り異常のみを判定してカードを自動返却しており、「磁気が読めない」と「カードデータが異常（他店カード等）」を区別し、かつ読取り異常か読取りデータ異常によってカードを返却するか保留にするかといった細かな制御に対応できなかった。
【００１３】
このことは、例えば、磁気なしカードは回収したい、あるいは、磁気が弱っているのか偽造なのかを店員が容易に区別できるようにしたいという遊技ホール側の要望に対して、当該要望に沿った対応の切り分けができないという問題点を招来していた。
【００１４】
本発明は上記問題点を解消し、記録媒体の読取り異常等の発生時に、遊技客が、該記録媒体を用いた処理に係わる操作ミスに気付かずに記録媒体を持ち去ってしまって後でトラブルとなる事態を解消できると共に、記録媒体の読取り異常か読取った情報の異常か等に応じて遊技ホール側が希望する記録媒体保留あるいは返却等の対応の切り分けが行える記録媒体処理装置を提供することを目的とする。
【課題を解決するための手段】
【００１５】
上記目的を達成するために、請求項１記載の発明は、記録媒体を受け入れ、該記録媒体に記録された情報を記録媒体読取手段により読取って該情報に基づく処理を行う記録媒体処理装置において、受け入れた記録媒体が前記処理の行える適正な記録媒体であるか否かを判定する判定手段と、前記判定手段により、前記記録媒体が適正な記録媒体でないと判定された場合、前記記録媒体を取込んだまま保留し、記録媒体が適正でない旨を表示手段に表示すると共に、返却指示に応じて前記記録媒体を返却する制御を行う制御手段とを具備することを特徴とする。
【００１６】
請求項２記載の発明は、上記請求項１記載の発明において、前記制御手段は、前記判定手段により、前記記録媒体が適正な記録媒体でないと判定された場合、前記返却指示を入力する返却ボタンを前記表示手段に併せ表示することを特徴とする。
【００１７】
請求項３記載の発明は、上記請求項１記載の発明において、前記判定手段は、前記記録媒体読取手段により前記情報が正常に読取られたか否かを判定する読取異常判定手段と、前記記録媒体読取手段により読取られた情報が適正であるか否かを判定する情報異常判定手段とを有し、前記読取異常判定手段により、前記情報が正常に読取られなかったと判定された場合、及び前記情報異常判定手段により、前記読取られた情報が適正でないと判定された場合、前記記録媒体が適正な記録媒体でないと判定することを特徴とする。
【００１８】
請求項４記載の発明は、記録媒体を受け入れ、該記録媒体に記録された情報を記録媒体読取手段により読取って該情報に基づく処理を行う記録媒体処理装置において、前記記録媒体読取手段により前記情報が正常に読取られたか否かを判定する読取異常判定手段と、前記読取異常判定手段により、前記情報が正常に読取られなかったと判定された場合、前記記録媒体を取込んだまま保留し、前記情報が正常に読取られなかった旨を表示手段に表示すると共に、返却指示に応じて前記記録媒体を返却する制御を行う制御手段とを具備することを特徴とする。
【００１９】
請求項５記載の発明は、上記請求項４記載の発明において、前記制御手段は、前記読取異常判定手段により、前記情報が正常に読取れなかったと判定された場合、前記返却指示を入力する返却ボタンを前記表示手段に併せ表示することを特徴とする。
【００２０】
請求項６記載の発明は、上記請求項４記載の発明において、前記記録媒体読取手段により読取られた情報が適正であるか否かを判定する情報異常判定手段を更に具備し、前記制御手段は、前記情報異常判定手段により、前記読取られた情報が適正でないと判定された場合、前記記録媒体を取込んだまま保留し、記録媒体受け入れ異常を報知する制御を行うことを特徴とする。
【００２１】
請求項７記載の発明は、上記請求項４記載の発明において、前記記録媒体読取手段により読取られた情報が適正であるか否かを判定する情報異常判定手段と、前記情報異常判定手段により前記読取られた情報が適正でないと判定された場合、該不適正情報が第１または第２の異常種別のいずれに該当するかを判定する異常種別判定手段とを更に具備し、前記制御手段は、前記異常種別判定手段により、前記不適正情報が前記第１の異常種別に該当すると判定された場合、前記記録媒体を取込んだまま保留し、記録媒体受け入れ異常を報知する制御を行うと共に、前記異常種別判定手段により、前記不適正情報が前記第２の異常種別に該当すると判定された場合、前記記録媒体を返却する制御を行うことを特徴とする。
【００２２】
請求項８記載の発明は、上記請求項７記載の発明において、前記異常種別判定手段は、前記不適正情報が、偽造が疑われる記録媒体に対応する情報である場合に、前記第１の異常種別に該当すると判定し、前記不適正情報が、前記処理に用いる記録媒体以外の記録媒体に対応する情報である場合に、前記第２の異常種別に該当すると判定することを特徴とする。
【００２３】
請求項９記載の発明は、上記請求項３，４，６，７のいずれか記載の発明において、前記記録媒体読取手段による前記情報の読取り異常、前記記録媒体読取手段により読取られた情報の異常及び異常種別の各々に対応して、記録媒体の保留、返却、記録媒体受け入れ異常報知に関する制御パターンを設定する設定手段を具備し、前記制御手段は、前記読取異常判定手段、前記情報異常判定手段及び前記異常種別判定手段の各判定結果に基づき、前記設定手段により設定されている当該各判定結果に対応した制御パターンに従って記録媒体の保留、返却、記録媒体受け入れ異常報知に関する前記制御を行うことを特徴とする。
【００２４】
請求項１０記載の発明は、上記請求項３，４，６，７のいずれか記載の発明において、前記記録媒体読取手段による前記情報の読取り異常、前記記録媒体読取手段により読取られた情報の異常及び異常種別の各々に対応して、記録媒体の保留、返却、記録媒体受け入れ異常報知に関する制御パターンを設定する設定手段を有する上位管理装置から前記設定手段により設定された制御パターンを取得する取得手段を具備し、前記制御手段は、前記読取異常判定手段、前記情報異常判定手段及び前記異常種別判定手段の各判定結果に基づき、前記取得手段により取得されている当該各判定結果に対応した制御パターンに従って記録媒体の保留、返却、記録媒体受け入れ異常報知に関する前記制御を行うことを特徴とする。
【発明の効果】
【００２５】
本発明によれば、磁気が無いあるいは弱っている記録媒体、他店の遊技用記録媒体、遊技用以外の記録媒体等の記録媒体が挿入され、該挿入記録媒体が当該装置本来の処理の行える適正な記録媒体でないと判定された場合、該記録媒体を取込んだまま保留し、記録媒体が適正でない旨を表示手段に表示すると共に、記録媒体が適正でない旨の表示を見た該遊技客がそのことに気付いて返却指示を行うまでは記録媒体を返却しないような制御が行われる。この制御によれば、挿入記録媒体が返却された時点で、遊技客は、必ず、該記録媒体による処理が正常終了していないことに気付くことになり、後で、貯玉や価値付け等の処理がなされていないことに気付いて遊技ホールとのトラブルに発展するというケースを大幅に減らすことができる。
【００２６】
また、本発明によれば、記録媒体が正常に読取られたか否か、読取られた情報が適正か否かにとどまらず、不適正な情報については更にその異常種別までも判定されるため、読取り異常、読取り情報異常並びに異常種別の各段階に応じて挿入記録媒体の保留、返却、記録媒体受け入れ異常報知等に関する対応制御を細かく設定でき、単に読取り異常なのか情報異常なのかを区別できるようにしたい場合や、偽造が疑われる記録媒体を特に念入りにチェックしたい場合等、遊技ホール側の要望に沿った対応の切り分けが容易に実現できる。
【発明を実施するための最良の形態】
【００２７】
以下、本発明の実施形態について添付図面を参照して詳細に説明する。
【００２８】
図１は、本発明に係わる遊技システムの全体構成を示すブロック図である。
【００２９】
この遊技システムは、パチンコホール等の遊技ホールに設置され、遊技客が獲得した玉（パチンコ玉）を計数する玉計数機１０、玉計数機１０に接続され、会員カードを受け入れて、玉計数機１０による玉計数値を貯玉する処理を行う会員カード端末機２０、会員カードを受け入れて貯玉分を払い出す貯玉引落し機８０、自動販売機９５と接続されるとともに、会員カードを受け入れて貯玉を使っての商品販売を可能とする会員カード処理機９０を、ローカル・エリア・ネットワーク（ＬＡＮ）６０を介してターミナル・コントローラ（Ｔ／Ｃ）５０に接続して構成される。
【００３０】
Ｔ／Ｃ５０は、遊技システム全体を制御統括するコントローラであり、例えば、図２に示すように、主制御部であるＣＰＵ５１、ハードディスクなどの記憶装置５２、動作プログラム等を記憶するメモリ５３、マウスやキーボード等の入力装置５４、ＣＲＴ等の表示装置５５、ＬＡＮ６０を介して会員カード端末機２０，貯玉引落し機８０，会員カード処理機９０等の被管理装置との通信を行う通信部５６を備えたＰＣ（パーソナル・コンピュータ）等の情報処理端末により構成される。
【００３１】
Ｔ／Ｃ５０において、メモリ５３は、度数管理テーブルとして、会員管理テーブル５３１を有しており、この会員管理テーブル５３１を用いて会員情報を管理している。
【００３２】
会員管理テーブル５３１には、図３に示すように、会員コード（識別データ）別に、貯玉数、残度数、来店回数、来店ポイント、入会日（月／日）、住所、氏名、電話番号および追加入金額、デビット入金などの各種データが記憶されている。
【００３３】
Ｔ／Ｃ５０において、会員管理テーブル５３１を用いた会員情報の管理を受けるには会員カードが必要となる。
【００３４】
会員カードは、会員登録処理を行うことによって発行される。会員登録を希望する遊技客は、申し込み書に所定事項を記入して担当の店員に渡す。店員は、所定事項をＴ／Ｃ５０に登録して該利用者を会員として登録し、Ｔ／Ｃ５０に会員管理テーブル５３１（図３参照）を作成する。そして、会員カードを遊技客（会員）に手渡す。
【００３５】
会員カードは、図４に示すように、磁気ストライプを有し、該磁気ストライプ上に磁気記録されるデータの種類は、スタートコード、エンドコード、発行店コード、会員ＩＤ、最終店コードなどがある。
【００３６】
また、会員カード７０上に目視可能にエンボス印字される情報には、例えば、図４に示すように、発行店名、会員コード、販売会社コード、店コードなどを含んでいる。
【００３７】
この会員カード７０は、会員カード端末機２０，貯玉引落し機８０，会員カード処理機９０等において使用可能であり、貯玉処理（預け入れ、引落し等）を行うことができる。
【００３８】
会員カード端末機２０での貯玉処理に際して、例えば、挿入された会員カード７０に磁気がなかったり磁気が弱っていたりして読取り不能な場合や、会員カード７０以外のカード（他店カード、銀行系キャッシュカード、偽造カード等）が挿入されていて、該挿入カードから読取られたカードＩＤが会員コードと一致しない場合等、不適正なカードが挿入された場合には、Ｔ／Ｃ５０に会員カード７０のカードＩＤを送信できなかったり、会員コードとは一致しないカードＩＤが送られるため、Ｔ／Ｃ５０での貯玉処理が行えない。
【００３９】
このように、会員カード端末機２０等のカード処理機において、挿入カードの読取り異常や読取ったデータの異常時に、挿入カードを即座に返却すると、遊技者は、貯玉処理や価値付け処理が正常終了したと思い込んで後に遊技ホールとのトラブルの元にもとになるため、何等かの対策が望まれる。
【００４０】
この点の対策として、本発明に係わるカード処理機では、挿入カードが当該カード処理機本来の処理を可能にする適正なカードでなかった場合、該カードを保留したまま適正でないカードである旨の表示を行い、この表示を見て不適正なカードであることに気付いた遊技客が所定の返却指示を行ってからでないと該挿入カードを返却しないように制御するものである。
【００４１】
以下、会員カード端末機２０を例に挙げて、本発明に係わるカード不適正時制御について説明する。
【００４２】
図５は、本発明に係わる会員カード端末機２０の機能構成を示すブロック図である。
【００４３】
図５に示すように、会員カード端末機２０は、会員カード７０の挿入及び返却のためのカード挿入／排出口２１、カード挿入／排出口２１から挿入された会員カード７０に記録された情報を読取るカードリーダ２２、カード挿入／排出口２１の近傍に設けられ、カード受け入れ中に点灯する発行ランプ２３、会員カード７０による貯玉時の操作ガイダンス等の各種情報をＬＣＤから成る表示パネル上に表示する機能と、表示パネルにタッチする等により各種情報を入力する機能とを有する表示／操作部２４、表示／操作部２４の表示パネル上に表示されるガイダンスに従い貯玉に変わって景品交換が選択された場合、玉計数機１０による玉計数値等の情報を印字した玉数レシート（非会員の遊技客が獲得した玉を景品に交換する際に必要となる）を発行するレシート発行部２５、貯玉処理プログラム等の各種情報を記憶するメモリ２６、Ｔ／Ｃ５０や玉計数機１０との通信の制御を行う通信部２７、端末機全体の制御を行う制御部２８を具備して構成される。
【００４４】
制御部２８には、読取り異常チェック部２８１、読取りデータチェック部２８２、カード不適正時制御部２８３が設けられる。
【００４５】
読取り異常チェック部２８１は、挿入されたカードがカードリーダ２２により正常に読取られたか否かをチェックする処理機能部である。
【００４６】
読取りデータチェック部２８２は、カードリーダ２２により挿入カードから正常に読取られたデータが異常なデータであるか否か（データが適正か否か）をチェックする処理機能部である。
【００４７】
カード不適正時制御部２８３は、読取り異常チェック部２８１による読取り異常チェック結果、及び読取りデータチェック部２８１によるデータ異常チェック結果に応じて、挿入カードの保留、返却、カード受け入れ異常報知等の制御を行う機能部である。
【００４８】
また、メモリ２６には、挿入カードの読取り異常並びにデータ異常に対応して、挿入カードの保留、返却、カード受け入れ異常報知等に関する制御パターンを設定した制御パターン設定テーブル２６５（図７、図１１、図１４参照）が設けられている。
【００４９】
カード不適正時制御部２８３は、読取り異常チェック部２８１により判定された読取り異常、及び読取りデータチェック部２８１により判定されたデータ異常に対応する制御パターンを制御パターン設定テーブル２６５から求め、該制御パターンに従って、挿入カードの保留、返却、カード受け入れ異常報知等の制御を実施する。
【００５０】
ここで、会員カード端末機２０における貯玉処理の概要について図６に示す制御シーケンスを参照して簡単に説明する。
【００５１】
図６に示すように、遊技機（この例では、パチンコ台）での遊技によって玉（同、パチンコ玉）を獲得した遊技客（例えば、会員）が、会員カード端末機２０に接続されている玉計数機１０を用いて、当該獲得した玉の計数を行う（ステップＳ１１）と、該玉計数値が、会員カード端末機２０に送られる。
【００５２】
会員カード端末機２０は、玉計数機１０から玉計数値を取得する（ステップＳ２１）と、表示／操作部２４の表示パネルに、玉計数値と貯玉を行うか否かを選択するガイダンスを表示し、ここで、貯玉を行うことが選択されると、次に、会員カードの挿入を促すガイダンス表示を行う。
【００５３】
ここで、会員が会員カード７０を挿入する（ステップＳ２２）と、会員カード端末機２０は、カードリーダ２２により該会員カード７０からカードＩＤ（会員コード）を読取った（ステップＳ２３）うえで、該カードＩＤと上記玉計数値とをＴ／Ｃ５０に送信する。
【００５４】
一方、Ｔ／Ｃ５０は、会員カード端末機２０からカードＩＤと玉計数値を受信すると、会員管理テーブル５３１内で、当該カードＩＤに対応する貯玉数を当該カードＩＤと共に受信した玉計数値に更新する処理（貯玉処理）を行い（ステップＳ５１）、該貯玉処理が正常に終了すると、正常終了通知とカード排出指示を会員カード端末機２０に送信する。
【００５５】
会員カード端末機２０は、Ｔ／Ｃ５０から受信した正常終了通知に基づき表示パネル上に正常終了の旨を表示すると共に、同時に受信したカード排出指示に基づき挿入中の会員カード７０を返却する（ステップＳ２４）。
【００５６】
上述した貯玉処理において、会員カード端末機２０は、カードの挿入を受け入れて該挿入カードの読取りを行う際（ステップＳ２３）、該挿入カードの読取り異常あるいはデータ異常のチェックを行い、読取り異常あるいはデータ異常と判定された場合には、当該挿入カードを不適正なカードであると判定し、該不適正なカードを対象とする本発明特有のカード保留、返却及び異常報知制御を実施する。
【００５７】
以下、不適正なカードを対象とする本発明特有のカード保留、返却及び異常報知制御について各実施例を挙げながら順次説明していく。
【実施例１】
【００５８】
実施例１に係わる会員カード端末機２０のメモリ２６には、図７に示すような設定内容を有する制御パターン設定テーブル２６５ａが設けられる。
【００５９】
すなわち、この制御パターン設定テーブル２６５ａには、挿入カードの読取り異常、及び読取りデータ異常のいずれの場合においても、挿入カードを保留し、返却指示を待って挿入カードを返却する制御（カード保留／返却指示待ち／カード返却）を行うことを意味する制御パターンが設定されている。
【００６０】
図８は、実施例１に係わる会員カード端末機２０における貯玉処理時のカード処理動作を示すフローチャートである。
【００６１】
図８において、会員カード端末機２０は、自端末に接続される玉計数機１０から玉計数値が取得されるのに合わせて、カード挿入／排出口２１にカードが挿入されたか否かを監視している（ステップＳ１０１）。
【００６２】
ここで、カードが挿入された場合（ステップＳ１０１ＹＥＳ）、カードリーダ２２は、当該カードを搬送機構によって内部に取り込み、当該カードに記録された磁気データの読取りを行う（ステップＳ１０２）。
【００６３】
次いで、制御部２８は、挿入されたカードが不適正なカードであるか否かを判定する（ステップＳ１０３）。
【００６４】
この不適正なカードであるか否かの判定にあたっては、例えば、上記ステップＳ１０２におけるカード読取り動作において、読取り異常チェック部２８１が、挿入されたカードを磁気ヘッドを用いて磁気読取り可能か否かをチェックし、読取り可能である場合には、適正なカードであると判定（ステップＳ１０３ＮＯ）し、読取り不能の場合には、不適正なカードであると判定（ステップＳ１０３ＹＥＳ）する。
【００６５】
これにより、例えば、正規の会員カード７０が挿入された場合であっても、該会員カード７０が磁気がなかったり、磁気が弱っている場合には、カード読取り不能に陥り、当該会員カード７０が不適正なカードであると判定される。
【００６６】
また、上記読取り異常チェックに際して、挿入カードからの情報の読取りが可能であった場合には、次に、読取りデータチェック部２８２が、磁気ヘッドで読み取られたデータ中からカードＩＤを抽出し、該カードＩＤを用いて、更に、当該挿入カードが当店の会員カード７０であるか否かをチェックする。
【００６７】
具体的には、抽出したカードＩＤと、予め会員管理テーブル５３１に登録されている会員コードとを比較し、両者が一致する場合には適正なカードであると判定（ステップＳ１０３ＮＯ）し、両者が不一致の場合には不適正なカードであると判定（ステップＳ１０３ＹＥＳ）する。
【００６８】
これにより、挿入されたカードが、例えば、他店のカードである場合、キャッシュカード等の非遊技用カードである場合、偽造されたカードである場合等には、抽出したカードＩＤと、予め登録されている会員コードとが不一致となって、挿入カードが不適正なカードであると判定されることになる。
【００６９】
この他、例えば、偽造カードとして、図４に示すようなエンボス情報が施されていないカードなども不正使用されることが考えられる。
【００７０】
このような偽造カードが使用されるおそれがある場合には、例えば、カードリーダ２１内に、エンボスがあるかないかを認識する機構を付加し、該機構によって、エンボスがないと認識された場合には不適正なカードであると判定するようにしても良い。
【００７１】
上記読取り異常及びデータ異常チェックの結果、挿入されたカードが適正なカードであると判定された場合（ステップＳ１０３ＮＯ）、制御部２８は、ステップＳ１０２で挿入カード（会員カード７０）から読取った情報中のカードＩＤと玉計数機１０から取得した玉計数値をＴ／Ｃ５０に送信することにより、上述した貯玉処理（図６参照）を実施する（ステップＳ１０４）。
【００７２】
その後、制御部２８は、Ｔ／Ｃ５０から貯玉処理に関する正常終了通知を受信すると（ステップＳ１０５ＹＥＳ）、表示／操作部２４の表示パネル上に貯玉処理が正常に完了した旨を表示し（ステップＳ１０６）、次いで、上記正常終了通知と同時に受信したカード排出指示に基づき、カード挿入／排出口２１から挿入中のカード（会員カード７０）を返却（ステップＳ１１４）した後、待機状態（カード挿入待ち：ステップＳ１０１）に戻る。
【００７３】
なお、この正常終了時における上記ステップＳ１１４のカード返却時、表示／操作部２４の表示パネル上には、カードの抜き取りを指示する抜き取り指示画面が表示され、会員に対して会員カード７０の抜き取りを促すようにしている。
【００７４】
図９は、抜き取り指示画面２４１ａの表示例を示す図であり、特に、この例では、カードの抜き取りを促すガイダンス“カードを取ってね”２４２ａと抜き取り指示イメージ図２４３ａが表示されている。
【００７５】
これに対して、上記読取り異常及びデータ異常チェックの結果、挿入されたカードが不適正なカードであると判定された場合（ステップＳ１０３ＹＥＳ）、カード不適正時制御部２８３は、制御パターン設定テーブル２６５ａ（図７参照）に設定された制御パターンに従った不適正時制御を行う。
【００７６】
この不適正時制御では、制御パターン設定テーブル２６５ａに設定された読取り異常及び読取りデータ異常時に対応する制御パターン「カード保留／返却指示待ち／カード返却」に従い、まず、挿入中のカードをカードリーダ２２内に保留したまま（ステップＳ１１１）、表示／操作部２４の表示パネル上に、不適正なカードである旨のガイダンスと、返却指示を入力するための返却ボタンから成る不適正カード報知画面を表示する（ステップＳ１１２）。
【００７７】
図１０は、不適正カード報知画面の表示例を示す図であり、特に、同図（ａ）は、挿入カードが読取り不能である場合の表示例を、同図（ｂ）は、挿入カードからの読取りデータが不適正である場合の表示例をそれぞれ示している。
【００７８】
図１０（ａ）において、不適正カード報知画面２４１ｂには、不適正カード報知ガイダンス“カードが読めません  カードを確認して下さい”２４２ｂと、カードの返却を指示する返却ボタン２４５が表示されている。
【００７９】
図１０（ｂ）において、不適正カード報知画面２４１ｃには、不適正カード報知ガイダンス“カードが違います  カードを確認して下さい”２４２ｃと、カードの返却を指示する返却ボタン２４５が表示されている。
【００８０】
上記不適正カード報知画面２４１ｂ，２４１ｃの表示後、カード不適正時制御部２８３は、当該画面上で返却ボタン２４５が押下（タッチ）されたか否かを監視する（ステップＳ１１３）。
【００８１】
ここで、返却ボタン２４５が押下されると（ステップＳ１１３ＹＥＳ）、カード不適正時制御部２８３は、該返却ボタン２４５の押下をカード返却指示と認識し、カード挿入／排出口２１から挿入中のカードを返却し（ステップＳ１１４）、その後、待機状態（カード挿入待ち：ステップＳ１０１）に戻る。
【００８２】
このように、実施例１では、挿入されたカードが読取り不能であったり、カードデータが異常のために適正なカードでないと判定された場合、該カードを保留したまま、不適正なカードである旨と返却ボタンの表示を行い、その後、返却ボタン操作による返却指示を待ってカードを返却するように制御するものである。
【００８３】
この制御によれば、会員カード端末機２０に挿入されたカードが、例えば、磁気が弱い等により読取り不能な会員カードであったり、カードＩＤが会員コードと一致しない非会員カードであった場合、遊技客が不適正なカードである旨を表示により知ったうえで返却ボタン２４５により返却指示を行ってからでないと、当該挿入カードが返却されることはない。
【００８４】
つまり、本実施例では、遊技客が、貯玉処理が実行できない不適正なカード（磁気の弱った会員カード、他店カード、キャッシュカード、偽造カード等）を挿入した場合、必ず、遊技客が不適正なカードである旨を知ったうえで当該カードが返却されることになるため、貯玉操作ミスを防止でき、貯玉がなされていないことに後で気付いて遊技ホール側とのトラブルに発展するといったケースも抑えることができる。
【実施例２】
【００８５】
実施例２では、不適正なカードの判定理由のうち、読取り異常の場合にのみ実施例１のカード保留／指示待ち返却制御（図８：ステップＳ１１１〜Ｓ１１４参照）を適用し、読取りデータ異常の場合には、その旨の異常報知を行うのみで該カードを直接遊技客に返却しないようにしたものである。
【００８６】
この制御を実現するため、実施例２に係わる会員カード端末機２０のメモリ２６には、図１１に示すような設定内容を有する制御パターン設定テーブル２６５ｂが設けられている。
【００８７】
すなわち、この制御パターン設定テーブル２６５ｂには、挿入カードの読取り異常の場合には、挿入カードを保留し、返却指示を待って挿入カードを返却する制御（カード保留／返却指示待ち／カード返却）を行い、読取りデータ異常の場合には、挿入カードを保留し、異常報知する制御（カード保留／異常報知）を行うことを意味する制御パターンが設定されている。
【００８８】
図１２は、実施例２に係わる会員カード端末機２０における貯玉処理時のカード処理動作を示すフローチャートである。
【００８９】
図１２において、会員カード端末機２０は、自端末に接続される玉計数機１０から玉計数値が取得されるのに合わせて、カード挿入／排出口２１にカードが挿入されたか否かを監視している（ステップＳ２０１）。
【００９０】
ここで、カードが挿入された場合（ステップＳ２０１ＹＥＳ）、カードリーダ２２は、当該カードを搬送機構によって内部に取り込み、当該カードに記録された磁気データの読取りを行う（ステップＳ２０２）。
【００９１】
このカード読取り動作において、読取り異常チェック部２８１では、挿入されたカードを磁気ヘッドを用いて磁気読取り可能か否かをチェックする（ステップＳ２０３）。
【００９２】
これにより、例えば、正規の会員カード７０が挿入された場合であっても、該会員カード７０が磁気がなかったり、磁気が弱っている場合には、カード読取り不能に陥り、カードデータ読取り不能と判定される。
【００９３】
このように、カードデータ読取り不能と判定された場合（ステップＳ２０３ＮＯ）、カード不適正時制御部２８３は、制御パターン設定テーブル２６５ｂ（図１１参照）に設定された読取り異常時に対応する制御パターンに従った不適正時制御を行う。
【００９４】
この不適正時制御では、制御パターン設定テーブル２６５ｂに設定された読取り異常時に対応する制御パターン「カード保留／返却指示待ち／カード返却」に従い、まず、挿入中のカードをカードリーダ２２内に保留したまま（ステップＳ２１１）、表示／操作部２４の表示パネル上に、カード読取り不能である旨のガイダンスと、返却指示を入力するための返却ボタンから成るカード読取り不能報知画面を表示する（ステップＳ２１２）。
【００９５】
なお、このカード読取り不能報知画面は、例えば、図１０（ａ）に示す不適正カード報知画面２４１ｂと同内容のものである。
【００９６】
上記カード読取り不能報知画面（２４１ｂ）の表示後、カード不適正時制御部２８３は、当該画面上で返却ボタン２４５が押下（タッチ）されたか否かを監視する（ステップＳ２１３）。
【００９７】
ここで、返却ボタン２４５が押下されると（ステップＳ２１３ＹＥＳ）、カード不適正時制御部２８３は、該返却ボタン２４５の押下をカード返却指示と認識し、カード挿入／排出口２１から挿入中のカードを返却し（ステップＳ２１４）、その後、待機状態（カード挿入待ち：ステップＳ２０１）に戻る。
【００９８】
これに対して、上記ステップＳ２０３での読取り異常チェックにおいて、カードデータが読取り可能であった場合（ステップＳ２０３ＹＥＳ）、次に、読取りデータチェック部２８２は、磁気ヘッドで読取られたデータ中からカードＩＤを抽出し、該カードＩＤの内容をチェックする（ステップＳ２０４）。
【００９９】
このカードＩＤ内容チェックにおいて、読取りデータチェック部２８２は、上記抽出したカードＩＤと、予め会員管理テーブル５３１に登録されている会員コードとを比較し、両者が一致するか否かにより、適正なカードデータであるか否かを判定する（ステップＳ２０５）。
【０１００】
ここで、上記抽出したカードＩＤが会員コードと一致して適正なデータであると判定された場合（ステップＳ２０５ＹＥＳ）、制御部２８は、ステップＳ２０２で挿入カード（会員カード７０）から読取った情報中のカードＩＤと玉計数機１０から取得した玉計数値をＴ／Ｃ５０に送信することにより、上述した貯玉処理（図６参照）を行う（ステップＳ２０６）。
【０１０１】
その後、制御部２８は、Ｔ／Ｃ５０から貯玉処理に関する正常終了通知を受信すると（ステップＳ２０７ＹＥＳ）、表示／操作部２４の表示パネル上に貯玉処理が正常に完了した旨を表示し（ステップＳ２０８）、次いで、上記正常終了通知と同時に受信したカード排出指示に基づき、カード挿入／排出口２１から挿入中のカード（会員カード７０）を返却（ステップＳ２１４）した後、待機状態（カード挿入待ち：ステップＳ２０１）に戻る。
【０１０２】
一方、上記ステップＳ２０５でのデータ異常チェックにおいて、読取られたデータから抽出したカードＩＤが会員コードと不一致となって不適正なデータであると判定された場合（ステップＳ２０５ＮＯ）、カード不適正時制御部２８３は、制御パターン設定テーブル２６５ｂ（図１１参照）に設定された読取りデータ異常時に対応する制御パターンに従った不適正時制御を行う。
【０１０３】
この不適正時制御では、制御パターン設定テーブル２６５ｂに設定された読取りデータ異常時に対応する制御パターン「カード保留／異常報知」に従い、まず、挿入中のカードをカードリーダ２２内に保留したまま（ステップＳ２２１）、表示／操作部２４の表示パネル上に、カードデータが異常である旨のガイダンスを含むカードデータ異常報知画面を表示する（ステップＳ２２２）。
【０１０４】
図１３は、カードデータ異常報知画面２４１ｄの表示例を示す図であり、カードデータ異常報知ガイダンス“カードデータが異常のためカードを保留致します  店員に申し付け下さい”２４２ｄが表示されている。
【０１０５】
このカードデータ異常報知画面２４１ｄの表示中、挿入されたカードは会員カード端末機２０の機内に保留された状態にあるため、以後の運用は店員による対応待ちとなる（ステップＳ２２３）。
【０１０６】
ここで、カードデータ異常報知画面２４１ｄが表示されるということは、挿入されたカードが、例えば、他店のカード、キャッシュカード等の非遊技用カード、偽造されたカード等である可能性があるため、店員は、会員カード端末機２０を開けて機内に保留されているカードを確認し、遊技客に返却したり、偽造カードを回収するなどの対応をとることになる。
【０１０７】
なお、カードデータ異常報知後の店員による迅速な対応を促すために、例えば、上記ステップＳ２２２での異常報知に際して、周辺に設置されるブザーやパトライトを作動させたり、Ｔ／Ｃ５０や店員が持つ通信端末に当該異常の発生を通知するようにしても良い。
【０１０８】
このように、実施例２では、挿入されたカードが正常に読取られなかった場合、該カードを保留したまま、正常に読取れなかった旨と返却ボタンの表示を行い、その後、返却ボタン操作を待ってカードを返却するように制御する一方、挿入されたカードから読取られたデータが異常である場合には、データ異常（カード受け入れ異常）の旨を報知し、カードは返却しないように制御するものである。
【０１０９】
この制御によれば、会員カード端末機２０に挿入された会員カードが、磁気がなかったり弱っていたり等により読取り不能であった場合、必ず、遊技客が読取り不能である旨を表示によって知ったうえで当該カードが返却されることになるため、貯玉操作ミスを防止でき、貯玉がなされていないことに後で気付いて遊技ホール側とのトラブルに発展するといったケースも抑えることができるという実施例１と同様の作用効果が期待できる。
【０１１０】
また、この制御よれば、挿入されたカードから読取られたデータが異常である場合には、データ異常の旨を報知するだけで、カードは機内に保留にしたまま維持されるため、挿入されたカードが読取り異常である場合と明確に切り分けた対応が可能となり、特に、カードデータ異常と判定されて機内に保留されたままのカードを店員が直に観察することで、他店カードやキャッシュカードと偽造カードとの区別できるようになり、不正防止にも寄与できる。
【実施例３】
【０１１１】
実施例３では、不適正なカードの判定理由のうち、読取り異常の場合にのみ実施例１のカード保留／指示待ち返却制御（図８：ステップＳ１１１〜Ｓ１１４参照）を適用し、読取りデータ異常の場合には、更に、その不適正種別（異常種別）を判定し、該不適正種別に応じて、カードをそのまま返却するか、あるいは、カードを保留にしたまま異常報知するように制御するものである。
【０１１２】
この制御を実現するため、実施例３に係わる会員カード端末機２０のメモリ２６には、図１４に示すような設定内容を有する制御パターン設定テーブル２６５ｃが用意されている。
【０１１３】
すなわち、この制御パターン設定テーブル２６５ｃには、挿入カードの読取り異常の場合には、挿入カードを保留し、返却指示を待って挿入カードを返却する制御（カード保留／返却指示待ち／カード返却）を行うと共に、読取りデータ異常のうち、不適正種別１に該当するデータ異常の場合には、挿入カードを保留し、異常報知する制御（カード保留／異常報知）を行い、不適正種別２に該当するデータ異常の場合には、カードを返却する制御（カード返却）を行うことを意味する制御パターンが設定されている。
【０１１４】
ここで、不適正種別１に該当するデータは、未登録カードのデータ等、偽造の疑われるカードに対応するデータ（カードＩＤ等）であり、不適正種別２に該当するデータは、他店カードや他システムカード等のカードに対応するデータ（カードＩＤ等）である。
【０１１５】
図１５は、実施例３に係わる会員カード端末機２０における貯玉処理時のカード処理動作を示すフローチャートである。
【０１１６】
なお、図１５において、図１２における実施例２の各処理ステップと同一の処理ステップについては同一のステップ符号を付している。
【０１１７】
ここでは、実施例２と同等の処理ステップのうち一部はその説明を割愛し、実施例３に特有の処理ステップを主体に説明する。
【０１１８】
図１５に示すように、実施例３に係わる会員カード端末機２０では、読取り異常チェック部２８１での読取り異常チェックにおいて、カードデータ読取り不能と判定された場合（ステップＳ２０３ＮＯ）、カード不適正時制御部２８３は、制御パターン設定テーブル２６５ｃ（図１４参照）に設定された読取り異常時に対応する制御パターンに従った不適正時制御を行う。
【０１１９】
この不適正時制御では、制御パターン設定テーブル２６５ｃに設定された読取り異常時に対応する制御パターン「カード保留／返却指示待ち／カード返却」に従い、まず、挿入中のカードをカードリーダ２２内に保留したまま（ステップＳ２１１）、表示／操作部２４の表示パネル上に、カード読取り不能である旨のガイダンスと、返却指示を入力するための返却ボタンから成るカード読取り不能報知画面〔図１０（ａ）：不適正カード報知画面２４１ｂ参照〕を表示する（ステップＳ２１２）。
【０１２０】
上記カード読取り不能報知画面（２４１ｂ）の表示後、カード不適正時制御部２８３は、当該画面上で返却ボタン２４５が押下（タッチ）されたか否かを監視する（ステップＳ２１３）。
【０１２１】
ここで、返却ボタン２４５が押下されると（ステップＳ２１３ＹＥＳ）、カード不適正時制御部２８３は、該返却ボタン２４５の押下をカード返却指示と認識し、カード挿入／排出口２１から挿入中のカードを返却し（ステップＳ２１４）、その後、待機状態（カード挿入待ち：ステップＳ２０１）に戻る。
【０１２２】
これに対して、上記ステップＳ２０３での読取り異常チェックにおいて、カードデータが読取り可能であった場合（ステップＳ２０３ＹＥＳ）、次に、読取りデータチェック部２８２は、磁気ヘッドで読取られたデータ中からカードＩＤを抽出し、該カードＩＤの内容をチェックする（ステップＳ２０４）。
【０１２３】
このカードＩＤ内容チェックにおいて、読取りデータチェック部２８２は、上記抽出したカードＩＤと、予め会員管理テーブル５３１に登録されている会員コードとを比較し、両者が一致するか否かにより、適正なカードデータであるか否かを判定する（ステップＳ２０５）。
【０１２４】
ここで、上記抽出したカードＩＤが会員コードと不一致となって不適正なデータであると判定された場合（ステップＳ２０５ＮＯ）、次いで、読取りデータチェック部２８２は、当該データが不適正種別１に該当するデータであるか、不適正種別２に該当するデータであるかをチェックする（ステップＳ２３１）。
【０１２５】
ここで、不適正種別１に該当するデータとしては、未登録カードのデータ等、偽造の疑われるカードに対応するデータが、不適正種別２に該当するデータとしては、他店カードや他システムカード等のカードに対応するデータがそれぞれ事前に登録されている。
【０１２６】
上記ステップ２３１において、読取りデータチェック部２８２は、上記ステップＳ２０５で不適正なデータであると判定されたデータを上記の如く登録されている不適正種別１または２のデータと照合することにより、当該不適正なデータが不適正種別１または２のいずれに該当するかをチェックする。
【０１２７】
ここで、不適正データが不適正種別２に該当するデータであった場合（ステップＳ２３１で不適正２）、カード不適正時制御部２８３は、制御パターン設定テーブル２６５ｃ（図１４参照）に設定された読取りデータ異常でかつ不適正種別２に対応する制御パターン「カード返却」に従い、挿入中のカードをカード挿入／排出口２１から返却し（ステップＳ２１４）、表示／操作部２４の表示パネル上に、カードの抜き取りを促すメッセージを表示する。この時、カードが間違っている旨のメッセージを合わせて表示しても良い。その後、カードが抜き取られれば、待機状態（カード挿入待ち：ステップＳ２０１）に戻る。
【０１２８】
一方、不適正データが不適正種別１に該当するデータであった場合（ステップＳ２３１で不適正１）、カード不適正時制御部２８３は、制御パターン設定テーブル２６５ｃ（図１４参照）に設定された読取りデータ異常でかつ不適正種別１に対応する制御パターン「カード保留／異常報知」に従い、挿入中のカードをカードリーダ２２内に保留したまま（ステップＳ２３２）、表示／操作部２４の表示パネル上に、カードデータが異常である旨のガイダンスを含むカードデータ異常報知画面（図１３：カードデータ異常報知画面２４１ｄ参照）を表示する（ステップＳ２３３）。
【０１２９】
このカードデータ異常報知画面（２４１ｄ）の表示中、挿入されたカードは会員カード端末機２０の機内に保留された状態にあるため、以後の運用は店員による対応待ちとなる（ステップＳ２３４）。
【０１３０】
上述したカード処理を行う実施例３の会員カード端末機２０によれば、例えば、他店カード等が挿入された場合には、ステップＳ２３１での不適正データの種別チェックの際に、不適正種別２と判定され、当該挿入カードはそのまま返却（ステップＳ２１４）されることになる。
【０１３１】
これに対して、未登録カード等が挿入された場合には、ステップＳ２３１での不適正データの種別チェックの際に、不適正種別１と判定され、当該挿入カードは機内に保留されたまま異常報知がなされる（ステップＳ２３２，Ｓ２３３）。
【０１３２】
これにより、未登録カード等、偽造された疑いのあるカードについては確実に回収することができ、また、同時に行われる異常報知によって、店員が、偽造カードの確認に素早く対処することができる。
【０１３３】
なお、本実施例においても、カードデータ異常報知後の店員によるより迅速な対応を促すために、例えば、上記ステップＳ２３３での異常報知に際して、周辺に設置されるブザーやパトライトを作動させたり、Ｔ／Ｃ５０や店員が持つ通信端末に当該異常の発生を通知する制御を行うのが有効である。
【０１３４】
このように、実施例３では、挿入されたカードが正常に読取られなかった場合、該カードを保留したまま、正常に読取れなかった旨と返却ボタンの表示を行い、その後、返却ボタン操作を待ってカードを返却するように制御すると共に、挿入されたカードから読取られたデータが異常である場合には、更にその異常種別（不適正種別）を判定し、該不適正種別に応じて、カードをそのまま返却するか、あるいは、データ異常の旨を報知し、カードは返却しないように制御するものである。
【０１３５】
この制御によれば、会員カード端末機２０に挿入された会員カードが、磁気がなかったり弱っていたり等により読取り不能であった場合、必ず、遊技客が読取り不能である旨を表示によって知ったうえで当該カードが返却されることになるため、貯玉操作ミスを防止でき、貯玉がなされていないことに後で気付いて遊技ホール側とのトラブルに発展するケースも防げるという実施例１，２と同等の作用効果が期待できる。
【０１３６】
また、この制御によれば、カード読取り異常と読取りデータ異常とを切り分けて対応できるのに留まらず、読取りデータ異常の場合には、更にその異常種別に応じて、カードをそのまま返却するか、カードを保留したままデータ異常報知を行うかといった細かな対応も可能であり、後者の対応においては、偽造の疑われるカードを集中的に回収することで、不正防止効果を更に高めることもできる。
【０１３７】
他の実施例：
なお、本発明に係わるカード不適正時制御（カードの読取り異常及び読取りデータ異常時におけるカード保留／指示待ち返却、カード保留／異常報知等の制御）機能は、上記実施例で挙げた会員カード端末機２０に限らず、高額紙幣対応のメダル貸出機３０にも適用可能である。
【０１３８】
図１６は、本発明に係わるメダル貸出機３０が接続される遊技システムの全体構成を示すブロック図である。高額紙幣を受け入れいてメダルを貸し出す複数台のメダル貸出機３０と、会員カードや精算カードを受け入れて該カードに関連付けられる残額分の現金を払い出すカード精算機４０を、ローカル・エリア・ネットワーク（ＬＡＮ）６０を介してターミナル・コントローラ（Ｔ／Ｃ）５０’に接続して構成される。
【０１３９】
図１７は、本発明に係わるメダル貸出機３０の機能構成を示すブロック図である。
【０１４０】
このメダル貸出機３０は、図示しない遊技機毎に設けられており、貨幣を投入する貨幣投入口３１１、投入された貨幣を識別する貨幣識別部３１、記録媒体である会員カードあるいは精算カードを挿入または排出するカード挿入／排出口３２１、挿入されたカードの情報を読取るカードリーダ３２、投入された貨幣の額や残価値等を表示パネルに表示する機能と表示パネルにタッチすることにより情報を入力する機能から成る表示／操作部３３、精算を指示する精算ボタン３４、メダルの貸出しを指示する貸出ボタン３５、収納したメダルを計数しながら繰り出すメダル繰出部３６、繰り出されたメダルを排出するメダル排出口３６１、カードリーダ３２に挿入された会員カードあるいは精算カードの識別情報（カードＩＤ）や残価値情報等をＴ／Ｃ５０との間で送受する通信部３７、カードＩＤや残価値情報等を一時的に記憶するメモリ３８、メダル貸出機３０全体を制御する制御部３９を備えて構成される。
【０１４１】
このメダル貸出機３０では、貨幣投入口３１１から高額紙幣を受け入れて貨幣識別部３１により認識し、指定された金額分のメダルの貸出しをメダル繰出部３６により行う。
【０１４２】
メダル貸出機３０において高額紙幣を受け入れて一部分に相当するメダルを貸し出した後、残額がある状態で、会員カード７０あるいは精算カードがカード挿入／排出口３２１に挿入され、遊技者による精算ボタン３４の押下により精算指示が入力されると、挿入されているカードのカードＩＤをカードリーダ３２が読取り、読取ったカードＩＤ及び残価値情報を通信部３７によりＴ／Ｃ５０に送信する。
【０１４３】
Ｔ／Ｃ５０’は、受信したカードＩＤに関連付けて記録されているデータベース（会員カードの場合は会員管理テーブル５３１）の残価値を更新し、カードの排出指示をメダル貸出機３０に送信する。
【０１４４】
カードの排出指示を受信したメダル貸出機３０では、挿入されているカードをカード挿入／排出口３２１より排出する。
【０１４５】
その後、カード精算機４０に会員カード７０や精算カードを挿入することにより、Ｔ／Ｃ５０’との通信を経て、当該各カードのカードＩＤに関連付けされた残額分を精算（現金化）することができる。
【０１４６】
このように、会員カード７０あるいは精算カードを受け入れて残価値の価値付けを行う機能を有するメダル貸出機３０に本発明を適用する場合、例えば、制御部３９に、読取り異常チェック部３９１、読取りデータチェック部３９２、カード不適正時制御部３９３を設け、メモリ３８内に制御パターン設定テーブル３８５を設ける。
【０１４７】
これら、読取り異常チェック部３９１、読取りデータチェック部３９２、カード不適正時制御部３９３及び制御パターン設定テーブル３８５は、それぞれ、図５に示した会員カード端末機２０内の読取り異常チェック部２８１、読取りデータチェック部２８２、カード不適正時制御部２８３及び制御パターン設定テーブル２６５と同等のもので良い。
【０１４８】
かかる構成において、上述した会員カード７０あるいは精算カードを用いた価値付け処理時、挿入されたカード（会員カード７０あるいは精算カード）をカードリーダ３２で読取る際、読取り異常チェック部３９１でカードが正常に読取れたか否かを判定すると共に、正常に読取れた時には更に読取りデータチェック部３９２で読取りデータが不適正であるか否かを判定する。
【０１４９】
そして、例えば、カードが正常に読取れなかった場合、及びカードデータが不適正である場合に、カード不適正時制御部３９３が制御パターン設定テーブル３８５に設定された制御パターンに従って、当該挿入カードを保留したまま読取り異常あるいはデータ異常及び返却ボタンを表示／操作部３３に表示し、その後、表示中の返却ボタンが押下された場合にカードを返却するように動作させることによって、実施例１と同等の制御が可能になる。
【０１５０】
ここで、どのような異常（読取り不能／データ異常）が生じた時に、どのような対応（カード保留／指示待ち返却、カード保留／異常報知、カード返却）を行うかについては、使用環境、運用者（遊技ホール）の意図等によって様々な要求があるが、このような要求に対しては、制御パターン設定テーブル３８５に当該要求に合致する制御パターンを設定することにより対応可能である。
【０１５１】
従って、本発明に係わるメダル貸出機３０においても、正常なカードが正常に処理される以外は、全て、カード保留／指示待ち返却とする実施例１と同等の制御のみならず、実施例２あるいは３と同等の制御も実現できる。
【０１５２】
この他、本発明は、上記し、且つ図面に示す実施例に限定することなく、その要旨を変更しない範囲内で適宜変形して実施できるものである。
【０１５３】
例えば、上記実施例では、カード処理機（会員カード端末機２０、メダル貸出機３０）が表示／操作部（タッチパネル）を備え、カードの返却指示が必要とされるときに、返却ボタンが表示されるようになっているが、表示部と通常の返却ボタンが設けられる構成としても良い。この構成においては、読み取り異常あるいはデータ異常が生じた際には、カードを内部に保留した状態において、返却ボタンの押下を促す旨のガイダンスを表示部に表示し、返却ボタンが押下されるとカードを返却するように制御する。
【０１５４】
また、上記実施例では、カード不適正時の制御パターンを設定する手段を個々のカード処理機（会員カード端末機２０、メダル貸出機３０）に設けた例を挙げているが、上位の管理装置（Ｔ／Ｃ５０）に上記設定手段を設けて制御パターンを設定し、当該設定内容を管理下の各カード処理機に指示する一方、各カード処理機が、管理装置から上記設定手段の設定内容を取得する構成としても良い。
【０１５５】
この場合、上位管理装置から、多数のカード処理機に対して、カード不適正時の制御パターンを一括して設定できるため、設定の手間がかからず、設定ミスも生じ難くすることができる。
【０１５６】
更に、本発明は、上記実施例で述べてきた磁気記録式のカードに限らず、ＩＣ記録式のカード（ＩＣカード）を受け入れ可能なカード処理機にも適用できる。
【０１５７】
ＩＣカードを受け入れるカード処理機では、ＩＣチップに異常が発生して情報が読取れないことも起こり得るが、このような場合に、例えば、カード保留／指示待ち返却を実施することによって、ＩＣチップ異常に起因する貯玉処理等に関する操作ミスを軽減できる。
【産業上の利用可能性】
【０１５８】
本発明は、記録媒体を受け入れて、読取った情報に基づいて所定の処理を行う記録媒体処理装置に適用でき、記録媒体の読取り異常や読取った情報の異常によって当該記録媒体に基づく上記所定が正常に実行されないまま当該記録媒体が持ち去られることを防止するのに有用である。
【図面の簡単な説明】
【０１５９】
【図１】本発明に係わる遊技システムの全体構成を示すブロック図。
【図２】本発明に係わるＴ／Ｃの機能構成を示すブロック図。
【図３】Ｔ／Ｃにおける会員管理テーブルの構成例を示す図。
【図４】会員カードの外観構成を示す図。
【図５】本発明に係わる会員カード端末機の機能構成を示すブロック図。
【図６】会員カード端末機における貯玉処理制御シーケンスを示す図。
【図７】実施例１に係わる制御パターン設定テーブルの構成例を示す図。
【図８】実施例１に係わる会員カード端末機のカード処理動作を示すフローチャート。
【図９】カード抜き取り指示画面の表示例を示す図。
【図１０】不適正カード報知画面の表示例を示す図。
【図１１】実施例２に係わる制御パターン設定テーブルの構成例を示す図。
【図１２】実施例２に係わる会員カード端末機のカード処理動作を示すフローチャート。
【図１３】カードデータ異常報知画面の表示例を示す図。
【図１４】実施例３に係わる制御パターン設定テーブルの構成例を示す図。
【図１５】実施例３に係わる会員カード端末機のカード処理動作を示すフローチャート。
【図１６】別の実施例である遊技システムの全体構成を示すブロック図。
【図１７】本発明に係わるメダル貸出機の機能構成を示すブロック図。
【符号の説明】
【０１６０】
１０…玉計数機、２０…会員カード端末機、２１…カード挿入／排出口、２２…カードリーダ、２３…発行ランプ、２４…表示／操作部、２４１ａ…抜き取り指示画面、２４１ｂ，２４１ｃ…不適正カード報知画面、２４１ｄ…カードデータ異常報知画面、２４２ａ…抜き取りを促すガイダンス、２４２ｂ，２４２ｃ…不適正カード報知ガイダンス、２４２ｄ…カードデータ異常報知ガイダンス、２４３ａ…抜き取り指示イメージ図、２４５…返却ボタン、２５…レシート発行部、２６…メモリ、２６５，２６５ａ，２６５ｂ，２６５ｃ…制御パターン設定テーブル、２７…通信部、２８…制御部、２８１…読取り異常チェック部、２８２…読取りデータチェック部、２８３…カード不適正時制御部、３０…台間メダル貸出機、３１…貨幣識別部、３１１…貨幣投入口、３２…カードリーダ、３２１…カード挿入／排出口、３３…表示／操作部、３４…精算ボタン、３５…貸出ボタン、３６…メダル繰出部、３７…通信部、３８…メモリ、３８５…制御パターン設定テーブル、３９…制御部、３９１…読取り異常チェック部、３９２…読取りデータチェック部、３９３…カード不適正時制御部、４０…カード精算機、５０，５０’…ターミナル・コントローラ（Ｔ／Ｃ）、５１…ＣＰＵ、５２…記憶装置、５３…メモリ、５３１…会員管理テーブル、５４…入力装置、５５…表示装置、５６…通信部、６０…ローカル・エリア・ネットワーク（ＬＡＮ）、７０…会員カード、８０…貯玉引落し機、９０…会員カード処理機、９５…自動販売機
【図１】
2005253587.tif 000003
【図２】
2005253587.tif 000004
【図３】
2005253587.tif 000005
【図４】
2005253587.tif 000006
【図５】
2005253587.tif 000007
【図６】
2005253587.tif 000008
【図７】
2005253587.tif 000009
【図８】
2005253587.tif 000010
【図９】
2005253587.tif 000011
【図１０】
2005253587.tif 000012
【図１１】
2005253587.tif 000013
【図１２】
2005253587.tif 000014
【図１３】
2005253587.tif 000015
【図１４】
2005253587.tif 000016
【図１５】
2005253587.tif 000017
【図１６】
2005253587.tif 000018
【図１７】
2005253587.tif 000019